(57)【特許請求の範囲】
【請求項１】
空気の流れ方向における上流側にて空気を吸い込む吸込口と、
前記吸込口より吸い込んだ空気を排出する排出口と、
前記吸込口と前記排出口とを連通する送風路と、
前記送風路の内部に備えた、前記吸込口から前記排出口へと空気を導く送風部と、
前記送風部の上流側にて仕切壁を介在して前記送風路を２以上に分割する分割風路と、
前記送風部と前記分割風路間に形成された吸込空間と、
前記分割風路に対して配置して前記分割風路内の消音を行う能動消音部と、
前記吸込空間に配置して隣接する前記分割風路の間の音の往来を防止する分割壁と、
を備え、
前記分割壁は、前記分割風路からの音の波を前記送風部の上流側端部にて前記送風路の中心から内側壁方向に反射させる反射板を有して構成されることを特徴とする送風装置。
【請求項２】
前記分割壁は、前記分割風路からの音の波を遮蔽する遮蔽板をさらに有して構成されることを特徴とする請求項１に記載の送風装置。
【請求項３】
前記遮蔽板は、前記仕切壁の端面から前記分割風路の下流側の前記吸込空間内へ延設していることを特徴とする請求項２に記載の送風装置。
【請求項４】
前記送風部は、ファンと、前記ファンを駆動するモータと、前記ファンを内包し空気を吸い込む流入口を備えた円筒形状のケーシングとを備え、
前記流入口は、前記吸込口における空気の流れ方向に対して平行に設けられ、
前記反射板は、前記ケーシングの側面に接する２つの接面が前記吸込空間で交差して折り曲げ部を構成することを特徴とする請求項１から３のいずれか一項に記載の送風装置。
【請求項５】
前記送風部は、前記吸込口における空気の流れ方向に対して平行に流入口が設けられ、
前記分割壁は、前記分割風路と前記送風部とを接続したことを特徴とする請求項３に記載の送風装置。
【請求項６】
空気の流れ方向における上流側にて空気を吸い込む吸込口と、
前記吸込口より吸い込んだ空気を排出する排出口と、
前記吸込口と前記排出口とを連通する送風路と、
前記送風路の内部に備えた、前記吸込口から前記排出口へと空気を導く送風部と、
前記送風部の上流側にて仕切壁を介在して前記送風路を２以上に分割する分割風路と、
前記送風部と前記分割風路間に形成された吸込空間と、
前記分割風路に対して配置して前記分割風路内の消音を行う能動消音部と、
前記吸込空間に配置して隣接する前記分割風路の間の音の往来を防止する分割壁と、
を備え、
前記分割壁は、前記分割風路からの音の波を前記送風部の上流側端部にて前記送風路の中心から内側壁方向に反射させる反射板と前記分割風路からの音の波を遮蔽する遮蔽板とで構成されることを特徴とする送風装置。
【発明の詳細な説明】
【技術分野】
【０００１】
本発明は、騒音を低減した送風装置に関するものである。
【背景技術】
【０００２】
以下、送風装置の一例として、レンジフードについて背景技術を説明する。
【０００３】
近年、住居の間取りの多様化にともない、同一空間に台所とリビングとが設けられるケースが増加している。これに伴いリビングへの騒音の侵入を防止して静粛性を保つため、台所に設置されるレンジフードは運転時に発生する騒音を低下させることがより求められている。また、レンジフードの騒音の周波数特性は広域に分布する傾向があるので、広い周波数域において消音効果を得る必要がある。
【０００４】
このような課題を解決する手段の一つとして、レンジフード内に複数の小径風路により構成された能動消音ユニットを搭載することが知られている。（例えば特許文献１参照）。
【０００５】
以下、そのレンジフードについて図１５を参照しながら説明する。
【０００６】
図１５に示すように、従来のレンジフードは、レンジフード１０１内上方に送風機１０２と中位置に能動消音ユニット１０３と下方にフード１０４を備えたものであった。このようなレンジフード１０１では、送風機１０２の吸込口１０５とフード１０４の開口１０６との間に複数の小径風路１０７（図１５ではそれぞれを小径風路１０７ａ、１０７ｂとして示している）が形成され、それぞれの小径風路１０７に能動消音装置１０８を備えたものであった。
【０００７】
小径風路１０７ａの能動消音装置１０８は、送風機１０２の吸込口１０５に近い側から下流マイク１０９ａ、スピーカ１１０ａ、上流マイク１１１ａをこの順に配置していた。同様に、小径風路１０７ｂの能動消音装置１０８は、送風機１０２の吸込口１０５に近い側から下流マイク１０９ｂ、スピーカ１１０ｂ、上流マイク１１１ｂをこの順に配置していた。
【０００８】
そして、送風機１０２の運転によって発生する騒音を下流マイク１０９（下流マイク１０９ａと下流マイク１０９ｂを示す）によって検出し、検出した騒音に対してスピーカ１１０（スピーカ１１０ａとスピーカ１１０ｂを示す）から逆位相の音を発して小径風路１０７内でそれぞれ騒音を打ち消して騒音の低減を図るものであった。
【０００９】
また、一般的にダクト形状の能動消音装置では、平面波が形成される周波数帯域までの制御が可能であり、この周波数Ｆはダクト口径Ｄによって変化することが知られている。具体的には、音速を用いて、Ｆ＝０．５×音速／Ｄから決定する。つまり、ダクト口径を小さくすることで、広帯域にわたり消音することが可能となる。
【００１０】
更に複数の小径風路１０７から能動消音ユニット１０３を構成することで、調理時に発生する油煙を十分に排気するための風量を確保することができる。
【先行技術文献】
【特許文献】
【００１１】
【特許文献１】特開２０１４‐１６３５７０号公報
【発明の概要】
【発明が解決しようとする課題】
【００１２】
しかしながら上記特許文献１に記載のレンジフードでは、複数の小径風路１０７間で互いの制御音が往来する現象（以下クロストーク）が生じる。すなわち、任意の小径風路１０７ａのスピーカ１１０ａから発信された制御音が、小径風路１０７ａの送風機１０２側の開口から放射される。この放射された制御音は、例えば送風機１０２の側面で反射するなどして、隣接する小径風路１０７ｂ内へと伝わり、小径風路１０７ｂのマイク１０８ｂが検知する。その結果、マイク１０８ｂは、消音すべき小径風路１０７ｂの騒音のみを検知できず、消音制御が不安定になり、消音効果が低下することが判明した。
【００１３】
つまり、複数の小径風路１０７から構成することによって生じるクロストークの影響により消音効果が低下するという課題があった。
そこで本発明は、上記課題を解決するものであり、能動消音装置の消音効果を向上させた送風装置を提供することを目的とする。
【課題を解決するための手段】
【００１４】
そして、本発明は上記目的を達成するために、本発明に係わる送風装置は、空気の流れ方向における上流側にて空気を吸い込む吸込口と、前記吸込口より吸い込んだ空気を排出する排出口と、前記吸込口と前記排出口とを連通する送風路と、前記送風路の内部に備えた、前記吸込口から前記排出口へと空気を導く送風部と、前記送風部の上流側にて仕切壁を介在して前記送風路を２以上に分割する分割風路と、前記送風部と前記分割風路間に形成された吸込空間と、前記分割風路に対して配置して前記分割風路内の消音を行う能動消音部と、前記吸込空間に配置して隣接する前記分割風路の間の音の往来を防止する分割壁とを備えたものであって、これによって所期の目的を達成するものである。
【発明の効果】
【００１５】
本発明によれば、複数の分割風路間で生じるクロストークの影響を軽減した送風装置を提供することができる。
【図面の簡単な説明】
【００１６】
【図１】本発明の実施の形態１に係るレンジフードの設置状態を示す図
【図２】本発明の実施の形態１に係るレンジフードの概略構成を示す図
【図３】本発明の実施の形態１に係る分割風路近傍の側断面図
【図４】本発明の実施の形態１に係るレンジフードの側断面図
【図５】本発明の実施の形態１に係るレンジフードで分割壁を備えない場合の能動消音部とケーシングの関係を示す側断面図
【図６】本発明の実施の形態１に係るレンジフードのケーシング周辺を示す斜視図
【図７】本発明の実施の形態１に係るレンジフードの排気部の断面図
【図８】本発明の実施の形態２に係るレンジフードのケーシング周辺を示す斜視図
【図９】本発明の実施の形態２に係るレンジフードの排気部の断面図
【図１０】本発明の実施の形態２に係るレンジフードで鉛直方向に短い場合のケーシング周辺を示す斜視図
【図１１】本発明の実施の形態３に係るレンジフードのケーシング周辺を示す斜視図
【図１２】本発明の実施の形態３に係るレンジフードの排気部の断面図
【図１３】本発明の実施の形態４に係るレンジフードの排気部の断面図
【図１４】本発明の実施の形態５に係るレンジフードの排気部の断面図
【図１５】従来のレンジフードの側断面図
【発明を実施するための形態】
【００１７】
本発明の請求項１に係る送風装置は、空気の流れ方向における上流側にて空気を吸い込む吸込口と、前記吸込口より吸い込んだ空気を排出する排出口と、前記吸込口と前記排出口とを連通する送風路と、前記送風路の内部に備えた、前記吸込口から前記排出口へと空気を導く送風部と、前記送風部の上流側にて仕切壁を介在して前記送風路を２以上に分割する分割風路と、前記送風部と前記分割風路間に形成された吸込空間と、前記分割風路に対して配置して前記分割風路内の消音を行う能動消音部と、前記吸込空間に配置して隣接する前記分割風路の間の音の往来を防止する分割壁とを備えたものである。
【００１８】
これにより、隣接する分割風路間において、互いのスピーカから発生する制御音が往来することを防止することができる。すなわちクロストークの発生が防止され、マイクが隣接する分割風路のスピーカが発生する制御音を検知することなく、正確に騒音を検知することが可能となる。その結果、能動消音装置の消音効果を向上することができる。
【００１９】
また、本発明の請求項２に係る送風装置は、前記分割壁は、前記分割風路からの音の波を遮蔽する遮蔽板である。
【００２０】
これにより、分割風路のスピーカから発生され、吸込空間へと放射される制御音は、分割壁である遮蔽板によって遮蔽される。すなわち、分割風路の送風機側開口部から放射された制御音が、吸込空間を伝播して隣接する分割風路内に侵入することを防止できる。これにより、クロストークの発生が防止され、能動消音装置の消音効果を向上することができる。
【００２１】
また、本発明の請求項３に係る送風装置は、前記分割壁は、前記仕切壁の端面から前記分割風路の下流側の前記吸込空間内へ延設した遮蔽板である。
【００２２】
これにより、仕切壁が一方の分割風路の端面と他方の分割風路の端面間に介在することとなるので、分割風路のスピーカから発生され、分割風路の送風機側開口部から吸込空間へと放射される制御音は、遮蔽板を迂回して他方の分割風路へ到達することとなる。すなわち他方の分割風路までの距離が長くなるので、制御音が伝わりにくくなる。つまり、送風機側開口部から放射した制御音が吸込空間を伝播して隣接する分割風路内に侵入することを防止できる。これにより、クロストークの発生が防止され、能動消音装置の消音効果を向上することができる。
【００２３】
また、本発明の請求項４に係る送風装置は、前記分割壁は、前記分割風路からの音の波を前記送風部の上流側端部にて前記送風路の中心から内壁方向に反射させる反射板である。
【００２４】
これにより、分割風路のスピーカから発生され、分割風路の送風機側開口部から吸込空間へと放射される制御音は、送風部の上流側端部に設けられた反射板まで到達して反射し、レンジフードの内側壁方向へと進行方向を変える。言い換えると、送風路の中央から離れる方向へと反射し、隣接する分割風路から遠ざかる方向へと進行する。その結果、送風機側開口部から放射した制御音が吸込空間を伝播して隣接する分割風路内に侵入することを防止できる。これにより、クロストークの発生が防止され、能動消音装置の消音効果を向上することができる。
【００２５】
また、本発明の請求項５に係る送風装置は、前記送風部は、ファンと前記ファンを駆動するモータと前記ファンを内包し空気を吸い込む流入口を備えた円筒形状のケーシングとを備え、前記流入口は、前記吸込口における空気の流れ方向に対して平行に設けられ、前記反射板は、前記ケーシングの側面に接する２つの接面が前記分割風路と前記送風部との間にて交差して折り曲げ部を構成するものである。
【００２６】
これにより、分割風路のスピーカから発生され、分割風路の送風機側開口部から吸込空間へと放射される制御音は、送風部の上流側端部に設けられた反射板まで到達して反射し、レンジフードの内壁面方向へと進行方向を変える。これにより、クロストークの発生が防止され、能動消音装置の消音効果を向上することができる。
【００２７】
また本発明の請求項６に係る送風装置は、前記送風部は、前記吸込口における空気の流れ方向に対して平行に流入口が設けられ、前記分割壁は、前記分割風路と送風部とを接続したものである。
これにより、断面視において吸込空間を隣接する分割風路間で分断することができるため、互いのスピーカから発生する制御音が分割壁と、分割風路もしくは送風部との隙間を通じて往来することを防止することができる。したがって、より効率よくクロストークの発生を防止することができる。また、分割壁と、分割風路もしくは送風部との隙間で気流が分岐もしくは衝突することで生じる気流の渦や乱れを抑制し、気流の渦や乱れによるノイズの発生を防止することができる。これにより、マイクは対応する分割風路の騒音のみを検知することが可能となる。その結果、能動消音装置の消音効果を向上することができる。
【００２８】
また本発明の請求項７に係る送風装置は、前記分割壁は、前記分割風路からの音の波を前記送風部の上流側端部にて前記送風路の中心から内側壁方向に反射させる反射板と、前記分割風路からの音の波を遮蔽する遮蔽板とで構成するものである。
【００２９】
これにより、断面視において吸込空間を隣接する分割風路間で分断することができるため、互いのスピーカから発生する制御音が分割壁と、分割風路もしくは送風部との隙間を通じて往来することを防止することができる。したがって、より効率よくクロストークの発生を防止することができる。また、複数の分割風路から流出する気流が、分割風路もしくは送風部との隙間で分岐もしくは衝突することを抑制することができる。更に、反射板が傾斜を有することで、気流は反射板にそってなめらかに進行方向を変えることになり、ケーシングに衝突することを抑制することができる。これにより、気流の衝突によって生じる渦や乱れによるノイズの発生を防止することができ、マイクは対応する分割風路の騒音のみを検知することが可能となる。その結果、能動消音装置の消音効果を向上することができる。
【００３０】
以下、添付図面を参照して、本発明の実施の形態につき説明し、本発明の理解に供する。なお、以下の実施の形態は、本発明を具体化した一例であって、本発明の技術的範囲を限定する性格のものではない。また、重複を避けるため、全図面を通して、同一の部位については同一の番号を付して二度目以降の説明を省略している。さらに、各図面において、本発明に直接には関係しない各部の詳細については説明を省略している。
【００３１】
（実施の形態１）
まず、図１を用いて本実施の形態に係るレンジフードの設置状態について説明する。なお、図１は、本発明の実施の形態１に係るレンジフードの設置状態を示す図である。
【００３２】
図１に示すように、厨房に取り付けるレンジフード１は、加熱調理機器２の上方に取り付けられている。このレンジフード１は、加熱調理機器２の上面を覆うように配置したフード部３と、このフード部３の中央上面側に突出して形成した排気部４から構成される。また、排気部４の上方（排気方向）には、ダクト９が接続されており、排気部４からの排気を例えば室外に排出するための風路を構成する。なお、図１における矢印Ｘ方向から見た際のレンジフード１の前面、すなわち調理者が調理時に向かい合うレンジフードの面をレンジフード正面と定義する。また、レンジフードの後述する送風部を操作する操作部５はフード部３のレンジフード正面側の面に配置されている。
【００３３】
続いて、図２を用いて本実施の形態に係るレンジフード１の構成について説明する。なお、図２は、本発明の実施の形態１に係るレンジフードの概略構成を示す図である。また、図２では、理解に供するために排気部４のレンジフード正面側のパネルを外した状態を示しており、フード部３の捕集口に備えられた整流板４６を点線で表している。
【００３４】
図２に示すように、レンジフード１は、直方体の排気部４とこの排気部４の下部（図の下方向であって、後述する上流方向）にフード部３を備えている。
【００３５】
排気部４は、天面６（図面の上方向であって、後述する下流方向）に開口した排出口７と、下部に開口した吸込口８を有する、縦長の直方体形状である。排出口７にダクト９を接続することで、レンジフード１の排出口７を屋外に連通させることができる。なお、ダクト９はレンジフード１には含まれない。また、吸込口８はフード部３の下流側開口部２８と連通されている。
【００３６】
排気部４の内部には、吸込口８と排出口７とを連通する送風路４０を形成している。送風路４０の内部は、吸込口８から排出口７へと空気を導く送風部１０と、送風部１０の上流側にて仕切壁４４を介在して送風路４０を２以上に分割する分割風路１１と、送風部１０と分割風路１１間に形成された吸込空間４５とを備えている。分割風路１１は、上流側で吸込口８と連接している。さらに、排気部４には、分割風路１１に対して配置して分割風路１１内の消音を行う能動消音部２６を備えている。
【００３７】
送風部１０は、送風路４０の下流側で排出口７と連接している。また、送風部１０は、ファン１２とファン１２を駆動するモータ（図示せず）とファン１２を内包し、空気を吸い込む流入口１５を備えたケーシング１３とから構成されている。すなわち、送風部１０は、排気部４の上部にあって、吸込口８と排出口７とを結ぶ送風路４０内の空気を排気するものである。
【００３８】
なおケーシング１３は、図２に示すように、ファン１２の外周において、遠心方向に風路を拡大するスクロール板５５とスクロール板５５の端面を挟むように配置した板体から構成されている。また、ケーシング１３は、スクロール板５５によって形成した略円筒形状の側面と、この側面の両側に前記板体として配置した天板５６と底板５７とを含む構成としている（図２では底板５７は天板５６に対して裏側に配置されているので図示していない）。略円筒形状とは、正確な円筒形を指すものではない。つまりケーシング１３における天板５６や底板５７は正円でなくてよく、風路を拡大するスクロール板５５に合わせたものである。以下、説明のなかでケーシング１３の外形において天板５６と底板５７の距離をケーシング１３の高さと呼ぶ。
【００３９】
ケーシング１３は排出口７に連接する吐出口１４と、送風路４０側に開口する流入口１５とを備えている。ここで、流入口１５の開口面は、ケーシング１３の天板５６および底板５７それぞれに設けられている。なお、このように本実施の形態では両面吸込タイプのケーシング１３としているが、片面吸込タイプのケーシング１３としても良い。両面吸込タイプとは、円筒形状の天板５６及び底板５７それぞれに流入口を有する形状であり、片面吸込タイプとは天板５６と底板５７のいずれか一方のみに流入口１５を有する形状である。本実施の形態では、排気部４内側で、流入口１５の一方の開口面はレンジフード１の正面に、他方の開口面はレンジフード１の背面に面している。
【００４０】
図３において二つの分割風路１１は、送風部１０の下方（後述する上流側）に配置されている。レンフード正面視において、仕切壁４４を介在して左右に並列に配置されている。さらに、二つの分割風路１１の奥行きは、ケーシング１３の高さよりも短く、もしくは、等しく形成している。
【００４１】
前述したように吸込空間４５は、送風部１０と分割風路１１間に形成された空間であって、本実施の形態では、分割風路１１は上流側を吸込口８に連接させて、送風部１０は吐出口１４を排出口７に連接させて、分割風路１１の送風部側開口部１６と送風部１０のケーシング１３の下端との間に通風中間空間１７を設けている（詳細は後述する）。通風中間空間１７は吸込空間４５の一部でもある。
【００４２】
図２に示すようにフード部３は、天面板２７と、天面板２７の中央部に設けた下流側開口部２８と、この天面板２７の外周を囲む側壁２９と、下流側開口部２８の下方（図面の下方向であって、後述する上流方向）に設置する整流板４６（図２において破線で示す）を備えたものである。
【００４３】
天面板２７は、フード部３の上方（図面の上方向であって、後述する下流方向）の一面を構成する。
【００４４】
下流側開口部２８は、断面が略正方形の開口であって天面板２７の上面側に設けた排気部４の吸込口８に連通している。天面板２７の縁部には、側壁２９が下方（図面の下方向であって、後述する上流方向）にむけて突出しており、この側壁２９と天面板２７とによって、下方に開口する捕集口３０を形成している。
【００４５】
整流板４６は、下流側開口部２８の下方に配置された板体である。これにより、側壁２９の内側周縁と整流板４６の外側周縁とによって、フード部３への空気の取り込み口となる捕集口３０が形成されている。また、整流板４６は、捕集口３０の気流の流速を確保するために設けられており、天面板２７の中央部に設けた下流側開口部２８を下方から覆う構成となっている。
【００４６】
続いて、図３を用いて本実施の形態に係るレンジフード１の送風路４０の上流側の構成について詳しく説明する。なお、図３は、本発明の実施の形態１に係る分割風路近傍の側断面図である。
【００４７】
通風中間空間１７は、図３に示すように、送風部側開口部１６と、ケーシング１３の下端との間に、流入口１５の開口径の１／４程度の距離を開けて備えられている。通風中間空間１７は、分割風路１１の送風部側開口部１６から流れ出た気流をケーシング１３の流入口１５へと滞りなく誘導するために有効である。すなわち、分割風路１１は吸込口８と通風中間空間１７とを連通させており、分割風路１１の送風部側開口部１６はケーシング１３の円筒形における側面４２に対面して開口している。送風部側開口部１６は分割風路１１の下流側端部である送風部側開口端面１８に設けられたものである。そして、通風中間空間１７には、ケーシング１３の側面４２と仕切壁４４の下流側の端面である仕切壁端面４７とを接続する分割壁５４として遮蔽板１９が備えられている。
【００４８】
分割風路１１は周囲を仕切壁４４と内壁２０に囲まれており、内壁２０のさらに外側には、排気部４の側面板４３の内側である内側壁２１が位置し、外部への騒音の放出を押さえる構成となっている。
【００４９】
そして、排気部４の内部でケーシング１３の下方、即ち送風部１０の上流側に備えられた分割風路１１には、下流マイク２２とスピーカ２３と上流マイク２４と演算制御器２５とを備えた能動消音部２６が設けられている。
【００５０】
続いて、能動消音部２６の構成について詳しく説明する。能動消音部２６は、図３に示すように、複数の分割風路１１それぞれの内壁２０に吸込口８側から順に、上流マイク２４、スピーカ２３、下流マイク２２を備えている。加えて、下流マイク２２と上流マイク２４の信号から位相と振幅を調整した音声信号を生成してスピーカ２３から発振させる演算制御器２５を備えている。
【００５１】
なお、上流マイク２４とスピーカ２３は、分割風路１１の高さ方向において中央部より吸込口８側に寄せると共に、下流マイク２２は、同じく中央部より騒音源である送風部１０側に寄せて設置している。結果として上流マイク２４とスピーカ２３とは下流マイク２２に比べて送風部１０から遠い位置に配置されている。
【００５２】
演算制御器２５は、上流マイク２４、スピーカ２３、下流マイク２２に接続されており、分割風路１１と排気部４の内側壁２１との間の空間に配置されている。この空間は、排気部４の内側壁２１を一周する角筒形状を成しており、分割風路１１の上流端から排気部４の内側壁２１の方向に伸びる上流側板と、分割風路１１の下流端から排気部４の内側壁２１の方向に伸びる送風部側開口端面１８とにより送風路４０とは独立した空間を構成している。このように、送風路４０とは独立した空間に演算制御器２５を備えることで、煙や油煙、あるいは湯気等から隔離している。
【００５３】
続いて、図４を用いて、レンジフード１の動作について説明する。なお、図４は、本発明の実施の形態１に係るレンジフードの側断面図である。なお図４では、理解に供するためにフード部３の捕集口に備えられた整流板４６を破線で表している。
【００５４】
上記構成において、レンジフード１を運転させると、送風部１０の動作によって、図４に破線で示すように捕集口３０によって空気が捕集され、吸込口８からダクト９方向に流れる気流が発生し、調理時に下方（上流方向）から上昇してくる油煙や水蒸気を含んだ空気を捕集することとなる。
【００５５】
吸込口８から吸い込まれた空気は、分割風路１１、通風中間空間１７、流入口１５、送風部１０の順に送風路４０を通過した後、吐出口１４からダクト９を通って排気部４外へと排気される。分割風路１１に能動消音部２６を備えていることで、分割風路１１から放射される騒音は下流マイク２２で検出されて、演算制御器２５によってコントロールされた逆位相の音をスピーカ２３から発することとなり、送風に伴う送風部１０の騒音は低減される。そして、捕集口３０からは低減された騒音が放射されることになる。
【００５６】
以上が本実施の形態のレンジフード１の基本的な動作である。
【００５７】
次に本実施の形態のレンジフード１が解決するクロストーク現象について図５を用いて説明する。なお、図５は分割壁としての遮蔽板１９を備えない場合の能動消音部２６とケーシング１３の関係を示す側断面図である。図５では、上述した分割風路１１、下流マイク２２、スピーカ２３、上流マイク２４について、それぞれ二組をそれぞれの符号にアルファベット「ａ」、「ｂ」を付加して、区別する。すなわち、分割風路１１は、分割風路１１ａ、分割風路１１ｂと表示し、分割風路１１ａには、下流マイク２２ａ、スピーカ２３ａ、上流マイク２４ａを備えている。同様に分割風路１１ａに隣接する分割風路１１ｂには、下流マイク２２ｂ、スピーカ２３ｂ、上流マイク２４ｂを備えている。
【００５８】
先述したように、下流マイク２２ａが検出した騒音に対し、スピーカ２３ａは逆位相の制御音を分割風路１１ａ内へ放射する。この制御音は分割風路１１ａ内を伝わる騒音に作用し、図２にて説明した捕集口３０からは低減された音が放射されることとなる。ところが、このとき分割風路１１ａのスピーカ２３ａが発生する制御音の一部は図５の点線で示すように、分割風路１１ａ内を伝わり、分割風路１１ａの送風部側開口部１６より吸込空間４５の一部である通風中間空間１７へと放射される。そして、通風中間空間１７へ放射された制御音は通風中間空間１７内を伝わり、あるいはケーシング１３の側面４２で反射して隣接する分割風路１１ｂ内へと侵入する。そして、隣接する分割風路１１ｂ内の下流マイク２２ｂや上流マイク２４ｂがこの制御信号を検知する現象が生じる。この現象をクロストークといい、このクロストークによって隣接する分割風路１１ｂの２つのマイク（下流マイク２２ｂ、上流マイク２４ｂ）は、それぞれが対応する分割風路１１で正しく騒音を検出できなくなる。その結果、能動消音部２６の制御が不安定になり、消音効果が低下することとなる。これは分割風路１１ａにおいてもスピーカ２３ｂからの影響を受けたクロストークが同様に発生する。つまり、分割風路１１間で音の往来が発生し、どちらの分割風路１１も正しく騒音を検出できなくなる。
【００５９】
続いて、分割風路１１間の音の往来を防止する分割壁５４について、図６、図７を用いて説明する。なお、図６は本発明の実施の形態１に係るレンジフードのケーシング１３周辺（分割風路１１の送風部側開口部１６を含む）を示す斜視図である。図７は、本発明の実施の形態１に係るレンジフードの排気部４の断面図である。
【００６０】
図６に示すように、遮蔽板１９はケーシング１３の側面４２の下端部と仕切壁４４の端面である仕切壁端面４７とを接続している。なお、仕切壁４４の端面も送風部側開口端面１８と見た場合には、通風中間空間１７でケーシング１３の側面と分割風路１１の送風部側開口端面１８とを接続したものでもある。
【００６１】
つまり本実施の形態における分割壁はレンジフード正面視において２つの分割風路１１の送風部側開口部１６間を分けるように鉛直縦向きに設置された板部材の遮蔽板１９である。すなわちこの遮蔽板１９により、通風中間空間１７において２つの分割風路１１間は空間的に分断されている。これにより、図７に示すように、一方の分割風路１１の送風部側開口部１６から通風中間空間１７へ放出された制御音は、遮蔽板１９によって遮蔽されるため、他方の分割風路１１内に侵入することを防ぐことができる。その結果、クロストークが発生せず、能動消音部２６の効果を向上することができる。なお本実施の形態では、遮蔽板１９は側面４２の下部と仕切壁端面４７（送風部側開口端面１８）とを隙間無く接続しているが、例えば遮蔽板１９の上流側端部を仕切壁端面４７（送風部側開口端面１８）に接続し、下流側端部は側面４２に接続しない構成としてもよい。あるいは遮蔽板１９の下流側端部を側面４２に接続し、上流側端部は仕切壁端面４７（送風部側開口端面１８）には接続しない構成としてもよい。この構成でも、分割風路１１間の音の往来をある程度防止することができる。
【００６２】
以上のように、通風中間空間１７でケーシング１３の側面と仕切壁４４の端面である仕切壁端面４７とを接続するように、遮蔽板１９を備えることで、高い消音性能を確保したレンジフード１を実現することができるのである。
【００６３】
（実施の形態２）
続いて、図８および図９を用いて本実施の形態２に係るレンジフードについて説明する。なお、図８は、本発明の実施の形態２に係るレンジフードのケーシング周辺の断面図であり、図９は本発明の実施の形態２に係るレンジフードの排気部の断面図である。
【００６４】
図８に示すように、実施の形態２のレンジフードでは、換気風量をより多くするために、実施の形態１の分割風路１１に換えて風路断面積のより大きな分割風路４８を備えたものである。風路断面積を大きくするために、分割風路４８の奥行きを送風部１０のケーシング１３の高さ（天板５６と底板５７の距離）よりも大きくし、かつ平面視においてケーシング１３の高さは、二つの分割風路４８奥行き内に含まれるように配置したものである。
【００６５】
本実施の形態の分割壁５４である遮蔽板４９は、仕切壁４４の端面から分割風路４８の下流側の吸込空間４５内へ延設したものである。
【００６６】
一例として、遮蔽板４９は、図９に示すように、仕切壁端面４７からケーシング１３の側面４２の下端へ延設した垂直板５０と、その垂直板５０の頂部に位置する端面で略水平に延設した水平板５１とから構成されている。水平板５１は、流入口１５よりも外周側で、ケーシング１３の天面もしくは底面に対して垂直に配置した部材でもある。すなわち、正面側から見た断面形状において、遮蔽板４９の形状は、仕切壁４４の端面から鉛直方向に伸びて先端で水平方向に広がる略「Ｔ」の字形状である。
【００６７】
この遮蔽板４９はレンジフード正面視したときに二つの分割風路４８のそれぞれ仕切壁４４よりも内側壁２１側で、送風部側開口端面１８より下流かつ流入口１５よりも外周側で囲われる分割吸込空間５２を通るように配置されている。言い換えると、遮蔽板４９は仕切壁４４の端面からケーシング１３の側面４２の下端部まで延設し、そこから互いに離れ、隣接する分割風路４８から遠ざかるように構成されている。
【００６８】
上記構成において、吸込口８から送風部側開口部１６を見る方向で見たときに、遮蔽板４９は分割風路４８の断面と一部重なっている領域が存在する。この遮蔽板４９により、吸込空間４５において２つの分割風路４８間の最短距離を長くすることができる。また、音波は進行する距離が長くなるにつれて減衰していく。すなわち、図９に示すように、一方の分割風路４８の送風部側開口部１６から吸込空間４５へ放出された制御音は、遮蔽板４９によって他方の分割風路４８に到達するまでに十分減衰していることになる。その結果、クロストークが発生しにくくなり、能動消音装置の効果を向上することができる。また、分割壁として遮蔽板４９を仕切壁端面４７からケーシング１３の側面４２の下端へ延設した垂直板５０と、その垂直板５０の頂部に位置する端面で略水平に延設した水平板５１とから構成することにより、風路断面積を大きくするために、分割風路４８の奥行きを送風部１０のケーシング１３の高さよりも大きくした場合にも水平板５１によって分割風路４８間の最短距離を長くすることができる。そして、クロストークが発生しにくくなり、能動消音装置の効果を向上することができる。
【００６９】
なお本実施の形態では、遮蔽板４９は仕切壁端面４７から鉛直方向に伸びて先端で略水平方向に広がる略「Ｔ」の字形状であるが、前記先端から水平方向ではなく所定の角度をもって上方に広がる略「Ｙ」の字構成や仕切壁端面４７から直接、所定の角度を持って２方向へ広がる略「Ｖ」の字構成にしてもよい。これらの構成でも同様の効果が得ることができる。
【００７０】
また、排気部４の高さを低くする要望に対応して、吸込空間４５に含まれる通風中間空間１７の鉛直縦方向の距離を短く形成した場合には、図１０に示すように垂直板５０を短くして水平板５１を流入口１５の外周に接するように配置することで、２つの分割風路４８間の最短距離を長くすることができる。この場合、垂直板５０は切欠き部５３を設けてこの切欠き部５３へケーシング１３の一部が入り込むこととなる。
【００７１】
以上のように、仕切壁端面４７とケーシング１３の側面４２の下端部を通る部材とその先端から互いに離れるように伸ばした部材とで構成された遮蔽板４９を備えることで、高い消音性能を確保したレンジフード１を実現することができるのである。
【００７２】
（実施の形態３）
続いて、図１１および図１２を用いて本実施の形態３に係るレンジフードについて説明する。なお、図１１は、本発明の実施の形態３に係るレンジフードのケーシング周辺の断面図であり、図１２は本発明の実施の形態３に係るレンジフードの排気部の断面図である。
【００７３】
図１１に示すように、実施の形態３におけるレンジフードでは、通風中間空間１７に折り曲げ部３１を有する反射板３２を設けている。つまりこの反射板３２が分割壁５４として機能する。反射板３２において、折り曲げ部３１を挟む２つの接面はケーシング１３の側面４２にそれぞれ接しており、折り曲げ部３１はケーシング１３の下端部と分割風路１１の送風部側開口端面１８との間、つまり通風中間空間１７に配置されている。すなわち、図１２に示すように、反射板３２はレンジフード正面視において、略「く」の字形状であり、下流側に向けて広がるように傾斜を有している。さらに、折り曲げ部３１は分割風路１１の延長上において、２つの分割風路１１の断面の中央に配置されている。この配置により接面は、送風方向に向かう騒音を内側壁２１側に反射する方向に向けられる。
【００７４】
これにより、一方の分割風路１１の送風部側開口部１６から通風中間空間１７へ放出された制御音は、送風部１０の上流側端部に設けられた反射板３２まで到達して反射し、レンジフード１の内側壁２１方向へと進行方向を変える。言い換えると、送風路の中央から離れる方向へと反射し、隣接する分割風路１１から遠ざかる方向へと進行する。その結果、送風部側開口部１６から放射した制御音が通風中間空間１７を伝播して隣接する分割風路１１内に侵入することを防止できる。これにより、クロストークの発生が防がれ、マイクが隣接する分割風路１１の制御音を検知することなく、正確に対応する分割風路１１の騒音のみを検知することが可能となり、能動消音装置の消音効果を向上することができる。
【００７５】
以上のように、分割壁５４として通風中間空間１７に折り曲げ部３１を有する反射板３２を備えることで、高い消音性能を確保したレンジフード１を実現することができるのである。
【００７６】
（実施の形態４）
続いて、図１３を用いて本実施の形態４に係るレンジフードについて説明する。なお、図１３は、本発明の実施の形態４に係るレンジフードの排気部の断面図である。
【００７７】
図１３に示すように、実施の形態４におけるレンジフードでは、通風中間空間１７に折り曲げ部３１を有する反射板３２と、反射板３２の下流側に設けた遮蔽板１９によって、分割壁５４を構成している。折り曲げ部３１を挟む反射板３２の２つの接面はケーシング１３の側面に接しており、折り曲げ部３１はケーシング１３の下端部と分割風路１１の送風部側開口端面１８との間に配置されている。更に反射板３２の最下端部である折り曲げ部３１と分割風路１１の送風部側開口端面１８とを接続するように、遮蔽板１９が備えられている。
【００７８】
これにより、一方の分割風路１１の送風部側開口部１６から通風中間空間１７へ放出された制御音は、送風部１０の上流側端部に設けられた反射板３２まで到達して反射し、レンジフード１の内側壁２１方向へと進行方向を変える。言い換えると、送風路の中央から離れる方向へと反射し、隣接する分割風路１１から遠ざかる方向へと進行する。また、反射板３２と分割風路１１の送風部側開口端面１８間の隙間を遮蔽板１９によって遮蔽しているため、隙間を通じて音が隣接する分割風路１１側へと進行することを抑制することができる。その結果、送風部側開口部１６から放射した制御音が通風中間空間１７を伝播して隣接する分割風路１１内に侵入することを防止できる。
【００７９】
また、分割風路１１の送風部側開口端面１８からケーシング１３を遮蔽板１９と反射板３２によって構成される分割壁５４により接続することにより、隣接する２つの分割風路１１の送風部側開口部１６から流出する気流が通風中間空間１７で衝突することを抑制することができる。更に、反射板が下流側に向けて広がるように傾斜を有することで、気流は反射板にそってなめらかに進行方向を変えることになり、ケーシングに衝突することを抑制することができる。これにより、気流の衝突によって生じる気流の渦や乱れを抑制することができる。その結果、気流の渦や乱れによるノイズの発生を防止することができ、マイクは正確に騒音のみを検知することが可能となる。
【００８０】
以上のように、通風中間空間１７に分割壁５４として、通風中間空間１７に折り曲げ部３１を有する反射板３２と、折り曲げ部３１と送風部側開口端面１８とを接続する遮蔽板１９とを備えることで、高い消音性能を確保したレンジフード１を実現することができるのである。
【００８１】
（実施の形態５）
続いて、図１４を用いて本実施の形態５に係るレンジフードについて説明する。なお、図１４は、本発明の実施の形態５に係るレンジフードの排気部の断面図である。
【００８２】
図１４に示すように、実施の形態５におけるレンジフードでは、送風部１０の流入口１５は吸込口８側から見て垂直に設けられている。そして、通風中間空間１７に分割風路１１の送風部側開口端面１８から送風部１０の流入口１５に向かって鉛直縦向きに分割壁５４としての遮蔽板１９を備えたものである。遮蔽板１９は隣接する分割風路１１の送風部側開口部１６の中央において、送風部側開口端面１８と接続された板部材である。
【００８３】
図１４に示すように、一方の分割風路１１の送風部側開口部１６から通風中間空間１７へ放出された制御音は遮蔽板１９によって遮蔽されるため、遮蔽板１９の端部で回折して他方の分割風路１１の送風部側開口部１６まで進行する。すなわち、一方の分割風路１１の送風部側開口部から他方の分割風路１１まで制御音が到達する距離が長くなる。また、音は進行するにつれ減衰していく。すなわち、一方の分割風路１１の送風部側開口部１６から通風中間空間１７へ放出された制御音は、他方の分割風路の送風部側開口部に到達するまでに十分に減衰していることとなる。その結果、互いのマイクが隣接する分割風路１１からの制御音を検出することなく、能動消音装置の効果を向上することができる。
【００８４】
また、分割風路１１の送風部側開口端面１８と遮蔽板１９とを接続することにより、隣接する２つの分割風路１１の送風部側開口部１６から流出する気流が通風中間空間１７で衝突することを抑制することができる。これにより、気流の衝突によって生じる気流の渦や乱れを抑制することができる。その結果、気流の渦や乱れによるノイズの発生を防止することができ、マイクは正確に騒音のみを検知することが可能となる。
【００８５】
以上のように、通風中間空間１７に分割壁５４として、遮蔽板１９を備えることで、高い消音性能を確保したレンジフード１を実現することができるのである。
【００８６】
（変形例）
以上、送風装置の中でも特に消音が必要とされる一例として、レンジフードの消音技術について説明を行った。しかしながら、本発明はレンジフードに限定する必要は無く、空気清浄機や除湿機、換気扇など、送風により騒音が発生する送風装置であれば適用することができる。
【００８７】
また、上述した実施の形態では、２つの分割風路１１から構成されているが、消音対象の周波数帯域に応じて分割風路１１の数を増やしても良い。
【産業上の利用可能性】
【００８８】
本発明は、レンジフード、空気清浄機、除湿機、換気扇など、送風により騒音が発生する送風装置に適用できる技術として有用である。
【符号の説明】
【００８９】
１  レンジフード
２  加熱調理機器
３  フード部
４  排気部
５  操作部
６  天面
７  排出口
８  吸込口
９  ダクト
１０  送風部
１１、１１ａ、１１ｂ  分割風路
１２  ファン
１３  ケーシング
１４  吐出口
１５  流入口
１６  送風部側開口部
１７  通風中間空間
１８  送風部側開口端面
１９  遮蔽板
２０  内壁
２１  内側壁
２２、２２ａ、２２ｂ  下流マイク
２３、２３ａ、２３ｂ  スピーカ
２４、２４ｂ  上流マイク
２５  演算制御器
２６  能動消音部
２７  天面板
２８  下流側開口部
２９  側壁
３０  捕集口
３１  折り曲げ部
３２  反射板
４０  送風路
４２  側面
４３  側面板
４４  仕切壁
４５  吸込空間
４６  整流板
４７  仕切壁端面
４９  遮蔽板
５０  垂直板
５１  水平板
５２  分割吸込空間
５３  切欠き部
５４  分割壁
５５  スクロール板
５６  天板
５７  底板
【図１】
0006589131.tif 000002
【図２】
0006589131.tif 000003
【図３】
0006589131.tif 000004
【図４】
0006589131.tif 000005
【図５】
0006589131.tif 000006
【図６】
0006589131.tif 000007
【図７】
0006589131.tif 000008
【図８】
0006589131.tif 000009
【図９】
0006589131.tif 000010
【図１０】
0006589131.tif 000011
【図１１】
0006589131.tif 000012
【図１２】
0006589131.tif 000013
【図１３】
0006589131.tif 000014
【図１４】
0006589131.tif 000015
【図１５】
0006589131.tif 000016